(57)【要約】【課題】１枚の薄板から折り曲げによって組み立てられる包装箱において、少なくとも２枚の仕切り板を相互に略垂直な状態で配置して少なくとも３つの部屋を形成しうるような新規な機構を提供する。【解決手段】底板１aから上方にかつ第１仕切り板９５に対し略直角状態となるように延在させ、係合用突起２１を有する溝状の第１切り欠き部２０を設けた第２仕切り板２aと、側板３aから延在させ、溝状の第２切り欠き部３０、及び係合用突起２１に係合する係合部４１を設けた内側板４とを備えている薄板の連結機構５１及びこの連結機構５１を備えた包装箱１０１である。第２仕切り板２aの第２切り欠き部３０を、内側板４の第１切り欠き部２０内にこれらが互いに略直交するように挿入すると、内側板４が揺動して係合部４１が係合用突起２１に係合し、これにより、第２仕切り板２aと内側板４とが互いに連結する。【選択図】図３
2008114885.tif 000002
【特許請求の範囲】
【請求項１】
折り曲げ可能であって弾性を示す１枚の薄板から形成され底板、側板、及び包装箱内を仕切る第１仕切り板を有する包装箱における薄板の連結機構であって、
前記底板から上方にかつ前記第１仕切り板に対し略直角状態となるように延在させ、係合用突起を有する溝状の第１切り欠き部を設けた第２仕切り板と、
前記側板から延在させ、溝状の第２切り欠き部、及び前記係合用突起に係合する係合部を設けた内側板とを備え、
前記第２仕切り板の前記第２切り欠き部を前記内側板の前記第１切り欠き部内に、これらが互いに略直交するように挿入すると、前記内側板が揺動して前記係合部が前記係合用突起に係合し、これにより、前記第２仕切り板と前記内側板とが互いに連結していることを特徴とする、薄板の連結機構。
【請求項２】
前記内側板は、前記側板と前記内側板との間の折り目で、前記包装箱の内側に向かって前記薄板を折り曲げて配置されており、
前記薄板の前記折り曲げによる弾性回復力によって、前記内側板は、揺動することを特徴とする、請求項１に記載の薄板の連結機構。
【請求項３】
前記係合用突起は、フック状に形成され、前記係合部は、溝状の切り欠き部として形成されていることを特徴とする、請求項１又は請求項２に記載の薄板の連結機構。
【請求項４】
前記内側板は、前記側板と離間するように、前記薄板を前記包装箱の内側に向かって少なくとも２箇所折り曲げて配置され、
前記側板と前記内側板との間に収容物を保護するための緩衝用空間が形成されていることを特徴とする、請求項１〜請求項３に記載の薄板の連結機構。
【請求項５】
前記係合部と前記係合用突起との係合している部分は、前記緩衝用空間の内部に存在していることを特徴とする、請求項４に記載の薄板の連結機構。
【請求項６】
前記第２仕切り板は、面同士が互いに重ね合わされて配置される二重構造の仕切り板であることを特徴とする、請求項１〜請求項５のいずれか１項に記載の薄板の連結機構。
【請求項７】
前記第１切り欠き部の切り欠き深さと前記第２切り欠き部の切り欠き深さとが略等しいことを特徴とする、請求項１〜請求項６のいずれか１項に記載の薄板の連結機構。
【請求項８】
請求項１〜請求項７のいずれか１項に記載の薄板の連結機構を備えていることを特徴とする、包装箱。
【請求項９】
請求項４又は請求項５に記載の薄板の連結機構を備え、
前記緩衝用空間に指を挿入するための孔が前記底板に設けられていることを特徴とする、包装箱。
【発明の詳細な説明】
【技術分野】
【０００１】
本発明は、薄板の連結機構、及びこの連結機構を備えた包装箱に関する。さらに詳しくは、本発明は、携帯電話のような精密機器用包装箱の内部に設けられる仕切り板と内側板とを、これらが略直交するように連結固定するための薄板の連結機構、及びこの連結機構を備えた包装箱に関する。
【背景技術】
【０００２】
一般に、精密機器、例えば、携帯電話やビデオカセット等を収納する包装箱は、精密機器保護のための緩衝側壁と底板とを有すると共に、仕切り板によって複数の部屋に仕切られている。このようなタイプの包装箱では、製造工程の簡素化の観点から、段ボールなどの折り曲げ可能であってある程度の弾性を示す薄板（以下、単に「薄板」という。）１枚から形成されている。
【０００３】
例えば、ビデオカセット及びその付属部品を収納する、仕切り付き包装用箱が知られている（以下の特許文献１、参照）。この特許文献１の開示によれば、仕切り板１４を長手方向に沿って配設して２つの部屋を形成し、さらに、２つの部屋の一方には緩衝壁を設けると共に、他方の部屋には間隔保持板１９を設けている（特許文献１の図3）。これら緩衝壁および間隔保持板１９は、仕切り板１５に対し垂直な状態で配置されている。このように特許文献１開示の包装箱には、大きいビデオカセットAや充電器Dを収納する部屋が存在する。
【０００４】
しかしながら、特許文献１開示の包装箱では、設計上、緩衝壁および間隔保持板１９は、各々、小さい乾電池CおよびバッテリーEを収納する凹部しか設けることができず（特許文献１の図３）、実質的に大きな物品を収納する部屋は、２つだけである。
【０００５】
【特許文献１】特開平０８−２４４７５７号公報
【発明の開示】
【発明が解決しようとする課題】
【０００６】
本発明の課題は、１枚の薄板から折り曲げによって組み立てられる包装箱において、少なくとも２枚の仕切り板を相互に略垂直な状態で配置して少なくとも３つの部屋を形成しうるような新規な機構を提供することである。
【課題を解決するための手段】
【０００７】
本発明者は、前記課題を解決すべく鋭意検討した結果、３つの部屋を形成するための付加的な仕切り板として、底板の一部を立ち上げ、立ち上げた仕切り板と、この立ち上げた仕切りと略垂直な側板延在部分（内側板）とを連結させることより、新規な連結機構の構築に成功し、これにより、前記課題を解決できることを見出し、この知見に基づき本発明が完成するに至ったのである。
【０００８】
なお、薄板を用いて２つの部位を連結する方法として、一般に、蓋と、本体とを連結する方法のように、挿入口と挿入片との連結方法などが知られている〔特開２００６−１０３７２８号公報等〕が、これら既知の方法は、いずれも、単に、相互に平行な部位を連結しているにすぎない。
【０００９】
すなわち、本発明は、折り曲げ可能であって弾性を示す１枚の薄板から形成され底板、側板、及び包装箱内を仕切る第１仕切り板を有する包装箱における薄板の連結機構であって、前記底板から上方にかつ前記第１仕切り板に対し略直角状態となるように延在させ、係合用突起を有する溝状の第１切り欠き部を設けた第２仕切り板と、前記側板から延在させ、溝状の第２切り欠き部、及び前記係合用突起に係合する係合部を設けた内側板とを備え、前記第２仕切り板の前記第２切り欠き部を前記内側板の前記第１切り欠き部内に、これらが互いに略直交するように挿入すると、前記内側板が揺動して前記係合部が前記係合用突起に係合し、これにより、前記第２仕切り板と前記内側板とが互いに連結していることを特徴とする薄板の連結機構、及びこの薄板の連結機構を備えていることを特徴とする包装箱を提供する。
【００１０】
また、本発明によれば、好適には、前記内側板は、前記側板と前記内側板との間の折り目で、前記包装箱の内側に向かって前記薄板を折り曲げて配置されており、前記薄板の前記折り曲げによる弾性回復力によって、前記内側板は、揺動する。
【００１１】
さらに、本発明によれば、前記係合用突起は、フック状に形成され、前記係合部は、溝状の切り欠き部として形成されていることが好適である。
【００１２】
さらに、本発明によれば、前記内側板は、前記側板と離間するように、前記薄板を前記包装箱の内側に向かって少なくとも２箇所折り曲げて配置され、前記側板と前記内側板との間に収容物を保護するための緩衝用空間が形成されていることが好適である。
【００１３】
さらに、本発明によれば、前記係合部と前記係合用突起との係合している部分は、前記緩衝用空間の内部に存在していることが好適である。
【００１４】
さらに、本発明によれば、前記仕切り板は、面同士が互いに重ね合わされて配置される二重構造の仕切り板であることが好適である。
【００１５】
さらに、本発明によれば、前記第１切り欠き部の切り欠き深さと前記第２切り欠き部の切り欠き深さとが略等しいことが好適である。
【００１６】
さらに、本発明によれば、前記緩衝用空間に指を挿入するための孔が前記底板に設けられていることが好適である。
【発明の効果】
【００１７】
本発明によれば、本発明の構成要件、特に、内側板に設けた溝状の第２切り欠き部を、第２仕切り板に設けた溝状の第１切り欠き部内に挿入すると、内側板が示す弾性力（薄板の折曲げ後の弾性回復力）を介し、内側板が揺動して、この内側板に設けた係合部を、第２仕切り板に設けた係合用突起に係合させることができる。これにより、第１仕切り板に対して略直角に配置される第２仕切り板と、内側板とを連結固定でき、第２仕切り板が立設した状態を形成することができる。これにより、少なくとも２枚の仕切り板（第１仕切り板、第２仕切り板）を、相互に略垂直な状態で配置して、少なくとも３つの部屋を形成できるという、技術的効果を奏することができたのである。
【発明を実施するための最良の形態】
【００１８】
前記したように、本発明は、折り曲げ可能であって弾性を示す１枚の薄板１００から形成され底板１、側板３、及び包装箱内１０１を仕切る第１仕切り板９５を有する包装箱１０１における薄板の連結機構５１であって、底板１aから上方にかつ第１仕切り板９５に対し略直角状態となるように延在させ、係合用突起２１を有する溝状の第１切り欠き部２０を設けた第２仕切り板２aと、側板３aから延在させ、溝状の第２切り欠き部３０、及び係合用突起２１に係合する係合部４１を設けた内側板４とを備え、第２仕切り板２aの第２切り欠き部３０を内側板４の第１切り欠き部２０内に、これらが互いに略直交するように挿入すると、内側板４が揺動して係合部４１が係合用突起２１に係合し、これにより、第２仕切り板２aと内側板４とが互いに連結していることを特徴とする、薄板の連結機構５１、及びこの薄板の連結機構５１を備えていることを特徴とする包装箱１０１（番号は、添付の図１〜３を参照）を提供する。
【００１９】
ここで、「折り曲げ可能であって弾性を示す（１枚の）薄板」とは、例えば、紙や樹脂製（例えば、プラスチック製）の薄板、例えば、紙製段ボール、プラスチック段ボール、チップボールなどの厚紙をいう。
【００２０】
また、「前記内側板４が揺動して前記係合部４１が前記係合用突起２１に係合し」には、少なくとも２つの態様が包含される。
【００２１】
第１の態様によれば、係合用突起２１は、溝状の第１切り欠き部２０における側板３ａに近い側の上端部に設けられている（図３、参照）。また、係合部４１（特に図4、参照）は、係合部４１が係合用突起２１に係合された状態において、折り曲げられて形成された内側板４の側板３ａに近い面（４ｂ）に設けられている。この場合、内側板４は、図３に示す、折り曲げられた内側板４の折り曲げ部９における弾性回復力によって、揺動し、その結果、係合することができる（図５及び図６、参照）。
【００２２】
第２の態様によれば、係合用突起２１は、溝状の第１切り欠き部２０における側板３ａから遠い側の上端部に設けられている。また、係合部４１は、側板３ａに遠い面（４ａ）に設けられている（図３、参照）。この場合、折り曲げられた薄板１００の側板３ａと内側板４との間の折り目α１における弾性回復力によって、揺動し、その結果、係合することができ、揺動する方向は、前記第１の態様とは逆の方向である。
なお、折り目α２における弾性回復による力も上記弾性回復力に相当するものである。
【００２３】
次に、添付の図面を参照しながら、本発明を実施するための最良の形態を説明することにより、本発明を更に詳しく説明する。
【００２４】
図１は、本発明に係る薄板の連結機構を備えた本発明に係る包装箱の一実施形態を示す斜視図である。また、図２は、図１に示す包装箱１０１の展開図である。
【００２５】
本実施形態の包装箱１０１は、携帯電話本体及びその付属品類を収容するための内箱に係る段ボール製の包装箱であり、通常、携帯電話本体などが収容されたこの包装箱１０１を包むもう１つの外箱（不図示）の中に入れられて使用される。図２に示すように、薄板１００は、凹凸状の中芯が中空部に設けられた紙製の段ボールであって、上記凹凸が繰り返される方向である流れ方向が、Ｅ方向とされている。
【００２６】
図１及び図２に示すように、本実施形態の包装箱１０１は、１枚の薄板１００を複数箇所折り曲げて形成されたもので、底板１、側板３、第１仕切り板９５、第２仕切り板２、及び内側板４を備えている。そして、内側板４と側板３ａとの間には、収容物を保護するための緩衝用空間Ｄが形成されている。また、側板３の全ての両端部には、下方に突出する脚用突起３１が設けられている。
【００２７】
ここで、包装箱１０１内の空間は、第１仕切り板９５及び第２仕切り板２により３つの部屋に仕切られている。第１仕切り板９５と第２仕切り板２とは相互に略垂直に配置された仕切りであり、また、第２仕切り板２と緩衝用空間Ｄを形成する内側板４とは相互に略垂直に交差するように連結されている。そして、内側板４と第１仕切り板９５とは相互に略平行に配置されている。なお、第２仕切り板２と内側板４との連結機構５１については、図３等を参照して後で説明する。
【００２８】
これら３つの部屋のうち、例えば、部屋Ａには携帯電話の充電器及びそのコードが収容され、内底板９１が配置された部屋Ｂには携帯電話本体が収容され、部屋Ｃには携帯電話のバッテリーが収容される。また、本実施形態の包装箱１０１では、内側板４と側板３ａとの間に形成され側板３ａに隣接する緩衝用空間Ｄだけでなく、他の側板３ｂ〜３ｃに隣接する部位にも収容物を保護するための緩衝用空間が形成されている。この緩衝用空間により、外部からの衝撃力などから収容物を適切に保護することができる。
【００２９】
ここで、内底板９１は、側板３ｃに連なる部分であり、包装箱１０１の内側に向かって薄板１００を折り曲げて、底板１に重ね合わされるように配置されるものである。また、第１仕切り板９５は、内底板９１に連なる部分であり、内底板９１から上方に立ち上がるように薄板１００を折り曲げて配置されるものである。このような構成とすることで、第１仕切り板９５を、１枚の薄板１００の一部として形成することができる。
【００３０】
また、図２に示すように、本実施形態の包装箱１０１は、第１仕切り板９５、第２仕切り板２、内側板４、側板３、及び底板１など全て１枚の薄板１００を折り曲げて形成されている。よって、包装箱１０１を組み立てる場合の接着による固定箇所は１箇所であり、接着等による固定工程は、接着剤塗布部７１に接着剤を塗布し、次に貼り合せ部７２に接着剤塗布部７１を重ね合わせて押圧するのみである。よって、包装箱１０１を組み立てるに際して接着等による固定工程を非常に少なくすることができ、包装箱１０１の製造工程の簡素化を図ることができている。
【００３１】
また、上記のように、第１仕切り板９５、第２仕切り板２、及び内側板４は、１枚の薄板１００を折り曲げて形成されているため、包装箱１０１の内部空間を仕切る仕切りや、外力から収容物を保護するための緩衝壁としての機能だけではなく、包装箱１０１の構造部材としての機能も有し、包装箱１０１の強度向上にも寄与する。
【００３２】
次に図１に示す緩衝用空間Ｄについて説明する。緩衝用空間Ｄは、図１及び図２に示すように、内側板４が、側板３ａと離間するように、薄板１００を包装箱１０１の内側に向かって２箇所（曲がり部α１、α２）折り曲げて配置されることにより、内側板４と側板３ａとの間に形成される空間である。
【００３３】
このように、緩衝用空間Ｄは、包装箱１０１を形成する薄板１００を折り曲げることで形成される。これにより、複数の薄板を複雑に組み合わせたり、発砲スチロール等の嵩張る緩衝部材を用いたりすることなく、簡易に収容物を保護するための緩衝用空間を形成することができる。
【００３４】
次に、図３は、図１に示す薄板の連結機構５１を詳細に説明する斜視図である。図４は、図３の内側板４に設けられた嵌合部４１を示す斜視図である。図５は、図３の第２仕切り板２と内側板４とが連結される途中の状態を示す側面図である。また、図６は、図３の第２仕切り板２と内側板４とが連結された状態を示す側面図である。ここで、図３〜図６は、図１に示す本発明に係る薄板の連結機構の一実施形態（前記した第１の実施態様）である薄板の連結機構５１を説明するための図である。
【００３５】
図３及び図４に示すように、本実施形態の薄板の連結機構５１に係る第２仕切り板２には、フック状に形成された係合用突起２１を有する溝状の第１切り欠き部２０が設けられている。また、内側板４には、溝状の第２切り欠き部３０及び係合用突起２１に係合する係合部４１が設けられている。ここで、係合部４１は、溝状の切り欠き部として形成されている。また、内側板４は、折り曲げ部９で折り曲げられて形成され、二重構造となっている。
【００３６】
このように、係合用突起２１がフック状に形成され、また、内側板４の係合部４１が溝状の切り欠き部として形成されていることにより、第２仕切り板２と内側板４とは、外れにくく効果的に連結固定される。
【００３７】
この第２仕切り板２と内側板４とが互いに略直角に交差するように、内側板４が折り曲げられた状態で、内側板４の第２切り欠き部３０が、第２仕切り板２の第１切り欠き部２０に差し込まれる。
【００３８】
図５及び図６に示すように、内側板４は、折り曲げ部９で折り曲げられて弾性変形が抑制された形で第２仕切り板２の第１切り欠き部２０に差し込まれていく。そして、図４に示す内側板４ａに設けられた係合部４１と、第２仕切り板２に設けられた係合用突起２１の位置が互いに重なったとき、折り曲げられた内側板４ａは、折り曲げ部９の弾性回復による弾性力により係合用突起２１側に倒れ（揺動し）、係合部４１は係合用突起２１に係合する。このようにして、第２仕切り板２と内側板４とは接着剤等の手段を用いなくとも容易に外れないように互いに連結固定される。
【００３９】
この薄板の連結機構５１を用いることにより、薄板１００で形成された包装箱１０１の内部空間に、相互に略垂直に配置される第１仕切り板９５と第２仕切り板２とからなる仕切りが形成され、これら仕切りにより３つの部屋を包装箱１０１内部に形成することが可能となる。
【００４０】
ここで、図６に示すように、係合部４１と係合用突起２１との係合している部分は、緩衝用空間Ｄの内部に存在している。このため、係合部４１と係合用突起２１との係合している部分が、故意又は偶発的に非係合状態となることを回避することができる。
【００４１】
また、第１切り欠き部２０及び第２切り欠き部３０の切り欠き深さは互いにほぼ等しくなっている。これにより、切り欠き深さが一方は深く他方は浅い場合と比較して、互いに連結固定された第２仕切り板２と内側板４との連結部の強度は全体として高くなる。
【００４２】
なお、内側板４に連なる調整部８を設けてもよい。この調整部８は、本実施形態に係る薄板１００の製造過程において有効なものである。１枚の薄板１００は、例えば、パンチング加工により生産されるものである。ここで、図２に示す加工された組み立て前の薄板１００を、例えば、ベルトコンベア等の手段を用いて搬送し、その後、箱詰めする場合に、薄板１００の長辺を搬送路に沿わせて平行な状態で搬送できるように調整部８を設けた薄板１００を形成すれば、搬送・箱詰め等の作業が容易となる。すなわち、この調整部８を設けることで、薄板１００の長辺を搬送路に沿わせて平行な状態で搬送できるようになり、箱詰め作業においても複数の薄板１００を揃えやすいという長所がある。
【００４３】
ここで、調整部８に切り欠き８１（図４）を設けているのは、図５及び図６に示すように、第２仕切り板２の端部と干渉しないようにするためである。
【００４４】
次に、図７〜図９は、いずれも図１の包装箱１０１が組み立てられる途中の状態を示す図である。
【００４５】
包装箱１０１が組み立てられるに際し、加工された１枚の平板である薄板１００は、まず、接着剤塗布部７１に接着剤が塗布され、貼り合せ部７２に接着剤塗布部７１を重ね合わせ、各側板（３ａ〜３ｄ）間の折り目（３箇所）を略直角に折り曲げて矩形の筒状にされる。次に、図７に示すように、各側板（３ｂ〜３ｄ）に連なる底板（１ａ〜１ｃ）を適宜内側に折り曲げて互いに係合させ包装箱１０１の底板を形成していく。
【００４６】
そして、底板１ａに連なる第２仕切り板２ａは、包装箱１０１内を仕切るように、底板１ａと第２仕切り板２ａとの間の折り目１０ａで薄板１００を略直角に折り曲げて配置されていく。第２仕切り板２ａと底板１ａとは１枚の薄板１００の一部として一体形成されているので、第２仕切り板２ａは、包装箱１０１の内部空間を仕切る仕切り板としての機能だけではなく、包装箱１０１の構造部材としての機能も有することになる。
【００４７】
また、第２仕切り板２ｂも、第２仕切り板２ａと同様に、包装箱１０１内を仕切るように、底板１ｂと第２仕切り板２ｂとの間の折り目１０ｂで薄板１００を略直角に折り曲げて配置されており、第２仕切り板２ａと第２仕切り板２ｂとは、面同士が互いに重ね合わされて配置される２つの仕切り板である（図８参照）。これにより、第２仕切り板２（２ａ及び２ｂからなる）は二重構造となり、一重構造の薄板よりも強度が向上する。
【００４８】
ここで、図７に示すように、本実施形態の包装箱１０１の底板１（１ａ、１ｂ）には、図１に示す緩衝用空間Ｄに指を挿入するための孔６１が設けられている。この孔６１は、主として、前記した係合状態を解除するのに用いられる。例えば、本発明の包装箱１０１の使用後に、包装箱１０１を分解して廃棄する際、底板１を押し下げ、次いで前記孔６１に指を挿入して非係合状態となる方向に持ち上げることによって係合状態を解除することができる。また、単に、孔６１に指を挿入して前記した係合状態が正常であるか否かを確認することもできる。
【００４９】
次に、図８に示すように、組み立て途中の包装箱１０１の上下を裏返し、底板１が下部になるようにする。そして、側板３ｂ及び３ｄに連なる部分を包装箱１０１の内側に折り曲げ、側板３ｂ及び３ｄに沿う緩衝用空間を形成する。
【００５０】
次に、図９に示すように、第２仕切り板２（２ａ、２ｂ）と内側板４とが互いに略直角に交差するように、側板３ａと内側板４との間の折り目１１で薄板１００を包装箱１０１の内側に向かって折り曲げて、内側板４の第２切り欠き部３０を第２仕切り板２の第１切り欠き部２０に差し込んでいく。このようにして、互いに略直角に交差する第２仕切り板２と内側板４とが連結固定され、包装箱１０１の内部空間を仕切る第２仕切り板２が配置される。
【００５１】
そして、前記したように、側板３ｃに連なる内底板９１が、薄板１００を包装箱１０１の内側に折り曲げて底板１に重ね合わされるように包装箱１０１内に配置され、内底板９１に連なる第１仕切り板９５が、内底板９１から上方に立ち上がるように薄板１００を折り曲げて配置される（図１参照）。
【００５２】
一方、図９に示すように、側板３（３ａ、３ｂ、３ｃ、３ｄ）の全ての両端部には、下方に突出する脚用突起３１が設けられている。これにより、包装箱１０１の下部空間を、収容物を保護するための緩衝用空間として利用することができ、また、この下部空間を一つの分離された収容物の収容空間としても利用することができる。ここで、この下部空間に収容する収容物としては、例えば、比較的面積が大きく且つ薄い形状をした携帯電話の取扱説明書やコンパクトディスクなどが挙げられる。
【００５３】
以上、本発明の実施形態について説明したが、本発明は上述の実施の形態に限られるものではなく、特許請求の範囲に記載した限りにおいて様々に変更して実施することが可能なものである。
【００５４】
例えば、図１０は、本発明に係る包装箱の一変形例を示すための展開図である。ここで、この一変形例を、図２に示す本発明に係る包装箱の一実施形態に係る薄板１００と比較して説明する。
【００５５】
図１０に示すこの一変形例に係る包装箱を形成する薄板１０２の第２仕切り板２’には、内底板支持部９３’が設けられている。また、図１０に示す第１仕切り板９５’に設けられた仕切り板支持部９６’は、対応する図２に示す仕切り板支持部９６よりも大きい。さらに、第１仕切り板９５’には、第３切り欠き部９２’が設けられている。ここで、この第３切り欠き部９２’は、第２仕切り板２’の内底板支持部９３’に差し込まれて係合されるものである。
【００５６】
包装箱が組み立てられた状態において、この一変形例に係る包装箱の内底板９１’は、内底板支持部９３’で支持され、対応する図１及び図２に示す内底板９１よりも上方に配置される。すなわち、この一変形例に係る包装箱の内底板９１’は、包装箱１０１の内底板９１よりも底上げされて配置され、本構成により、収容物に合わせて適宜包装箱の底を底上げすることができる。
【図面の簡単な説明】
【００５７】
【図１】本発明に係る薄板の連結機構を備えた本発明に係る包装箱の一実施形態を示す斜視図である。
【図２】図１に示す包装箱の展開図である。
【図３】図１に示す薄板の連結機構を詳細に説明する斜視図である。
【図４】図３の内側板に設けられた嵌合部を示す斜視図である。
【図５】図３の第２仕切り板と内側板とが連結される途中の状態を示す側面図である。
【図６】図３の第２仕切り板と内側板とが連結された状態を示す側面図である。
【図７】図１の包装箱が組み立てられる途中の状態を示す図である。
【図８】図１の包装箱が組み立てられる途中の状態を示す図である。
【図９】図１の包装箱が組み立てられる途中の状態を示す図である。
【図１０】本発明に係る包装箱の一変形例を示すための展開図である。
【符号の説明】
【００５８】
１      底板
２      第２仕切り板
３      側板
４      内側板
２０    第１切り欠き部
２１    係合用突起
３０    第２切り欠き部
４１    係合部
５１    薄板の連結機構
９５    第１仕切り板
１００  薄板
１０１  包装箱
Ｄ      緩衝用空間
【図１】
2008114885.tif 000003
【図２】
2008114885.tif 000004
【図３】
2008114885.tif 000005
【図４】
2008114885.tif 000006
【図５】
2008114885.tif 000007
【図６】
2008114885.tif 000008
【図７】
2008114885.tif 000009
【図８】
2008114885.tif 000010
【図９】
2008114885.tif 000011
【図１０】
2008114885.tif 000012